(57)【要約】      （修正有）【課題】ハンドルの長さの調整、定位及び伸縮機能を具有するスーツケースのハンドル定位構造を提供する。【解決手段】主に座体、スライド台及び推移部品で構成する。該座体の内部に横向きにスライド台を収納できる収納槽を形成し、座体の縦方向の挿入ルート内に、推移部品の台座の両サイドにある下向きに延伸するアームを挿入する。該スライド台の台座両サイドから傾斜して延伸するスライドルートを具有し、台座前方にあるストッパーブロックはハンドルの内棒の穴から伸びて、更に外棒の掛止穴内に挿入して掛止して定位し、台座後方に第一弾性部品を定位する。また、推移部品の台座底面に第二弾性部品を定位することで、台座後方から下に延伸するスライド部を可動的に座体の収納槽の反対側にあるガイドレールに掛止する。【選択図】図２
0003181756.tif 000002
【実用新案登録請求の範囲】
【請求項１】
座体、スライド台、推移部品及びハンドルを含み、
該ハンドルの外棒及び内棒にそれぞれ掛止穴及び穴を設けるとともに、内棒の上方にプッシュ部品と、内棒の内部に該プッシュ部品で駆動可能な連動棒を設け、
該座体の内部に横向きにスライド台を収納できる収納槽を設け、座体に縦方向に収納槽にまで連通する挿入ルートを設けるとともに、座体の収納槽１１に相対する別サイドにガイドレールを設け、
該スライド台は台座を有し、該台座の両サイドにいずれも下向きに傾斜して延伸するスライドルートを設け、
台座の前方には、内棒の穴から伸びて外棒の掛止穴に挿入して定位するストッパーブロックを設けるとともに、ストッパーブロックの別側後方に座体の収納槽内にて弾性力を持って抵触する第一弾性部品を設け、
該推移部品は連動棒が抵触する台座を有し、該台座の前方両サイドに下向きに延伸して座体の挿入ルート内に挿入するアームを設けるとともに、該二つのアームの内側に傾斜して延伸する推移部を設け、スライドルートを抵触して押すとスライド台が収納槽に向かってスライド変位し、ストッパーブロックを外棒の掛止穴の推移部から離脱し、
該台座の後方部には下向きに延伸した少なくとも一つのスライド部を有し、ガイドレールを可動的に掛止し、該台座の底面部分に、第二弾性部品を弾性的に座体の頂部を抵触して定位することを特徴とするスーツケースのハンドル定位構造。
【請求項２】
前記座体の収納槽前方に開口を設け、該開口に相対する別側の後方壁に、第一弾性部品を套接して弾性的に変形可能な定位柱を凸設することを特徴とする請求項１記載のスーツケースのハンドル定位構造。
【請求項３】
前記座体の挿入ルートの両サイドから収納槽の開口に向けて、いずれも縦方向に貫通する切り込みを設け、推移部品の両サイドにあるアームは、それぞれ座体の切り込みに沿って、縦方向に挿入ルート内に挿入することを特徴とする請求項２記載のスーツケースのハンドル定位構造。
【請求項４】
前記座体の挿入ルートの後方に位置し、第二弾性部品を套設して弾性的に変形可能な定位柱を凸設することを特徴とする請求項１記載のスーツケースのハンドル定位構造。
【請求項５】
前記座体のガイドレールは凹形状を呈し、ガイドレールの側壁面に縦方向に少なくとも一つの収納槽１１に連通するスライド槽を設け、該推移部品のスライド部の末端に、ガイドレールのスライド槽内に可動的に掛止し、スライド変位の距離を制限するストッパーブロックを設けることを特徴とする請求項１記載のスーツケースのハンドル定位構造。
【請求項６】
前記座体の底部に停止部を突出して設け、停止部は内棒フレームの開口部に抵触して停止することを特徴とする請求項１記載のスーツケースのハンドル定位構造。
【請求項７】
前記座体の収納槽と停止部の間に固定穴を設けることを特徴とする請求項６記載のスーツケースのハンドル定位構造。
【請求項８】
前記スライド台のスライドルートは、下向きに傾斜して延伸する傾斜面であり、推移部品の推移部は、スライドルートの傾斜面を抵触してスライドする抵触面を有することを特徴とする請求項１記載のスーツケースのハンドル定位構造。
【請求項９】
前記スライド台のストッパーブロックの相対する後方に、制限溝を凹設し、制限溝内に第一弾性部品を定位することを特徴とする請求項１記載のスーツケースのハンドル定位構造。
【請求項１０】
前記推移部品の台座底面のアームとスライド部の間に定位柱を凸設し、該定位柱に第二弾性部品を定位することを特徴とする請求項１記載のスーツケースのハンドル定位構造。
【考案の詳細な説明】
【技術分野】
【０００１】
本考案はスーツケースのハンドル定位構造に関し、特に内棒にあるプッシュ部品を押すことで連動棒を駆動して推移部品を抵触し、且つ推移部品はアームの推移部がスライドルートに抵触することで、スライド台は座体の収納槽に向かって滑って変位する一方、ストッパーブロックが外棒の掛止穴から離れるため、長さの調整、定位及び伸縮機能を具有するスーツケースのハンドル定位構造に関する。
【背景技術】
【０００２】
現代社会は目覚しく発展し、国民所得が高くなったために、人々の生活スタイルは変わりつつある。また、様々な交通手段が普及して便利になり、仕事だけでなく、休暇を過ごす或いは旅行へ出かけて娯楽を楽しむなど、乗り物に乗って各地を行き来するのがもはや大変頻繁に行われることとなっている。その際にはスーツケースを使って衣服や日常品、資料など、携帯する物品を収納する。
【０００３】
更に通常のツースケースの本体台座内部に物品を収納できるスペースを形成し、台座を覆うように蓋を設ける。また、台座及び蓋の底部に複数の車輪を設け、台座の背部には数段階に調節可能のハンドルを設けることで、長さの調整、定位及び伸縮機能を具有し、ユーザーがハンドルを引っ張ることにより、スーツケースが傾斜或いは直立した状態で、複数の車輪が地面を滑走するため、時間を節約できて楽である。ただ、従来技術のスーツケースのハンドル定位構造は、連動棒にある凸点が定位ピンのガイドスロット内で作動し、且つ定位ピンを駆動して伸縮の動作をさせる。このような連動棒の凸点は直接定位ピンのガイドスロット内で作動するため、連動棒に大きな力を入れたりすると、構造が破壊或いは折れたりするなど、全体構造が安定したものではない。
【０００４】
よって、上記ハンドル定位構造の欠点を改良したスーツケースハンドル構造の従来技術が案出された。図９、図１０に示すのは、従来技術のスーツケースハンドル構造の立体分解図及び掛止本体の立体分解図である。図から分かるように、従来技術のスーツケースハンドル構造に外棒Ａ、内棒Ｂ及び掛止本体Ｃを含み、該外棒Ａの二つのフレームＡ１に複数の掛止穴Ａ１１を設ける。また、二つのフレームＡ１の内部はいずれも内棒ＢのフレームＢ１を通し、該フレームＢ１に掛止穴Ｂ１１を設け、且つフレームＢ１の内部にプッシュ部品Ｂ２が駆動する連動棒Ｂ３を設ける。掛止本体Ｃはそれぞれ内棒ＢのフレームＢ１の内部に設置し、左側蓋Ｃ１、右側蓋Ｃ２、掛止部品Ｃ３、スプリングＣ４及びスプリングＣ６を套接する押し棒Ｃ５で構成する。該掛止部品Ｃ３の掛止棒Ｃ３１は右側蓋Ｃ２の穴Ｃ２１から伸びてから更に内棒Ｂ及び外棒ＡフレームＢ１、Ａ１の掛止穴Ｂ１１、Ａ１１に挿入して掛止して定位につく。
【０００５】
ユーザーが内棒Ｂのプッシュ部品Ｂ２を押して、連動棒Ｂ３を駆動して下方に変位する際、該連動棒Ｂ３の末端は押し棒Ｃ５に抵触し、且つ押し棒Ｃ５の底部にある斜面Ｃ５１が掛止部品Ｃ３の頂部の凸縁Ｃ３３の斜面Ｃ３４に抵触すると、掛止部品Ｃ３の掛止棒Ｃ３１は外棒Ａの掛止穴Ａ１１の反対方向に変位し、掛止部品Ｃ３を押すことで、掛止棒Ｃ３１の反対側にある溝Ｃ３２に定位するスプリングＣ４が変形し、掛止部品Ｃ３の掛止棒Ｃ３１は掛止穴Ａ１１から離脱するため、内棒Ｂを上下に位置調整するのに便利である。押し棒Ｃ５を用いて掛止部品Ｃ３を抵触して押すことにより、連動棒Ｂ３が直接掛止部品Ｃ３にて作動するために発生する構造の破壊或いは断裂する状況を避けることはできるが、掛止本体Ｃの左側蓋Ｃ１及び右側蓋Ｃ２はそれぞれ分かれて組立てて構成するため、製造するためには少なくとも二セット以上の金型が必要であり、金型設計の困難さ及びハイコストとなり、全体構造が比較的複雑且つ部品が多くなるため、組立が困難による時間短縮及びコストを有効的に抑えることができない。また、左側蓋Ｃ１及び右側蓋Ｃ２の間は嵌合して掛止する方法で結合して定位しているため、掛止部品Ｃ３が押し棒Ｃ５によって抵触して押される際、左側蓋Ｃ１は簡単に右側蓋Ｃ２から離脱するため、全体構造が作動時の安定性に影響を及ぼすため、更なる改善案が必要であった。
【考案の概要】
【考案が解決しようとする課題】
【０００６】
本考案の第１の目的は、ハンドルの長さの調整、定位及び伸縮機能を具有することを提供することにある。  
本考案の第２の目的は、構造がシンプル且つ部品が比較的少なく、便利に組立、有効的に製造時間とコストを節約し、安定した構造且つ確実に定位につく構造を提供することにある。
本考案の第３の目的は、安定した構造、操作が簡単及び作動時の安定性のある構造を提供することにある。
【課題を解決するための手段】
【０００７】
上述の目的を解決するため、本考案はスーツケースのハンドル定位構造を提供するものである。本考案の第１の目的では、座体内部に横向きにスライド台を収納できる収納槽を形成する。座体の縦方向に挿入ルートを設け、中に推移部品の台座の両サイドから下向きに延伸するアームを挿入する。スライド台の台座の両サイドからスライドルートを傾斜して延伸することで、台座前方にあるストッパーブロックが内棒の穴から伸びて、更に外棒の掛止穴内に挿入し、掛止して定位する。また、台座の後方に第一弾性部品を定位し、推移部品の台座の底面に第二弾性部品を定位することで、台座後方にある下向きに延伸するスライド部が座体のガイドレールと掛止させる。内棒にあるプッシュ部品を押して連動棒を駆動し、推移部品を抵触して押すと、該二つのアームの内側にある推移部はスライドルートを抵触して押すことで、スライド台のストッパーブロックが外棒の掛止穴から離脱するため、長さの調整、定位及び伸縮機能を具有する。
【０００８】
本考案の第２の目的では、推移部品の台座の前方両サイドにあるアームは、それぞれ挿入ルート内に挿入し、且つ二つのアームの推移部の抵触面がスライド台の台座両サイドにあるスライドルートの傾斜面を抵触してスライドし、更に推移部品後方両サイドにあるスライド部は、ストッパーブロックを座体のガイドレールに抵触し、ストッパーブロックを介し、推移部品が座体の外に離脱するのを防止できる。当該座体の一体成形の構造設計により、構造がシンプル且つ部品が比較的少なく、便利に組立、有効的に製造時間とコストを節約し、組立後には安定した構造且つ確実に定位につく効果を持つ。
【０００９】
本考案の第３の目的では、ハンドルのプッシュ部品を押して連動棒を駆動して変位する際、該連動棒は推移部品を抵触して押し、且つ第二弾性部品を押し、更に二つのアームの内側にある推移部は、スライド台両サイドのスライドルートに抵触して押すことで、スライド台が座体の収納槽に向かってスライド変位する。また、第一弾性部品を押すことで、ストッパーブロックがバックして外棒の掛止穴から離れるため、片手で簡単にハンドルを上下に位置調整をすることができる。ハンドル調整する際、内棒をひっぱって座体を駆動し、外棒が伸びる或いは縮む動作をすることができ、ストッパーブロックが外棒の別の掛止穴に位置する際、第一弾性部品を介し、スライド台のストッパーブロックを外棒の当該掛止穴に挿入し、掛止して定位する状態を形成する。安定した構造、操作が簡単及び作動時の安定性のある効果を得る。
【考案の効果】
【００１０】
本考案は座体、スライド台及び推移部品の設置により、ハンドルの長さの調整、定位及び伸縮機能を具有し、部品が比較的少ないシンプルな構造であり、便利に組立、有効的に製造時間とコストを節約し、安定した構造且つ確実に定位につく構造である。
【図面の簡単な説明】
【００１１】
【図１】本考案の立体外観図である。
【図２】本考案の立体分解図である。
【図３】本考案の別の角度から見た立体分解図である。
【図４】本考案の側視断面図である。
【図５】本考案の最良実施例の立体外観図である。
【図６】本考案の最良実施例の立体分解図である。
【図７】本考案の最良実施例の作動時の側視断面図である。
【図８】本考案の最良実施例の作動後の側視断面図である。
【図９】従来技術のスーツケースハンドル構造の立体分解図である。
【図１０】従来技術の掛止本体の立体分解図である。
【考案を実施するための形態】
【００１２】
本考案によるスーツケースのハンドル定位構造を明確に示すために図に沿って詳細な説明を行う。
【００１３】
図１、図２、図３及び図４に示すのは、本考案の立体外観図、立体分解図、別の角度から見た立体分解図及び側視断面図である。図から分かるように、本考案は座体１、スライド台２及び推移部品３を含む。
【００１４】
該座体１は中空の収納本体であり、該中空内部に横向きにスライド台２を収納できる収納槽１１を形成する。該収納槽１１の前方に開口１１１を形成し、該開口１１１に相対する別側の後方壁に一つの定位柱１１２を凸設する。該座体１の頂部に縦方向に収納槽１１にまで連通する挿入ルート１２を設け、且つ挿入ルート１２と収納槽１１は垂直に形成する。該挿入ルート１２の左右両サイドから収納槽１１の開口１１１に向けて、いずれも縦方向に貫通する切り込み１２１を設ける。挿入ルート１２の後方中央処に定位柱１２２を凸設し、また座体１の収納槽１１に相対する別サイドの後方に凹形状のガイドレール１３を設ける。該ガイドレール１３の側壁面に縦方向に少なくとも一つの収納槽１１に連通するスライド槽１３１を設ける。該座体１の底部に突出する停止部１４を設け、更に収納槽１１と停止部１４の間に横方向に貫通する固定穴１５を設ける。
【００１５】
該スライド台２は台座２１を具有し、該台座２１の左右両サイドにいずれも下向きに傾斜して延伸する傾斜面２１１１を具有するスライドルート２１１があり、台座２１の前方にストッパーブロック２２を設け、該ストッパーブロック２２の別側後方に制限溝２１２を凹設し、且つ該制限溝２１２内に第一弾性部品２３を定位する。
【００１６】
該推移部品３は一つの台座３１を具有し、該台座３１の前方両サイドに下向きに延伸するアーム３２を設け、且つ二つのアーム３２の相対する内側に、いずれも下向きに傾斜して延伸する抵触面３２１１を具有する推移部３２１がある。該台座３１の後方両サイドに少なくとも一つの下向きに延伸するスライド部３３を設け、該スライド部３３の末端にストッパーブロック３３１を形成する。また、台座３１底面のアーム３２とスライド部３３の間に定位柱３１１を凸設し、更に定位柱３１１に第二弾性部品３４を定位する。
【００１７】
本考案を組立てる際、まずスライド台２を開口１１１より横向きに座体１の収納槽１１内に押入れ、且つ台座２１の後方部にある第一弾性部品２３を収納槽１１内の壁面にある定位柱１１２に套設して定位する。推移部品３の台座３１前方両サイドにあるアーム３２はそれぞれ切り込み１２１に沿って、挿入ルート１２内に挿入する。二つのアーム３２の相対する内側にある推移部３２１の抵触面３２１１はスライド台２の台座２１両サイドにあるスライドルート２１１の傾斜面２１１１を抵触してスライドし、更に推移部品３後方両サイドにあるスライド部３３は、ストッパーブロック３３１を座体１のガイドレール１３に抵触し、弾性変形及び元の位置に戻る過程を経て、スライド部３３のストッパーブロック３３１を介し、可動的にガイドレール１３のスライド槽１３１内に掛止し、スライド変位の距離を制限することで、有効的に推移部品３が座体から外れるのを防止できるほか、台座３１の底面にある第二弾性部品３４を座体１の頂部にある定位柱１２２に套設して定位を呈し、第二弾性部品３４を介して、弾性的に座体１の頂部に抵触することにより、推移部品３は弾性的に元の位置に戻る機能を持つことができるため、座体１の一体成形の構造デザインは、一セットの金型のみ製造することができ、金型デザインを簡単にし、コストを下げることができる。全体構造がシンプル且つ部品が比較的少なく、便利に組立てることができ、有効的に組立時間とコストを節約し、組立後も構造が安定、組立がしっかりし、及び定位が確実である効果を得ることができる。
【００１８】
図５、図６、図７及び図８に示すのは、本考案の最良実施例の立体外観図、立体分解図、作動時の側視断面図及び作動後の側視断面図である。図で分かるように、本考案のスーツケースのハンドル定位構造はスーツケース５に応用し、ハンドル４内部に設置して長さの調整、定位及び伸縮機能として使用する。該ハンドル４は互いに套接できる外棒４１及び内棒４２を具有し、該外棒４１に含まれる二つのフレーム４１０の上中下段の位置に複数の掛止穴４１１を設ける。内棒４２に含まれる二つのフレーム４２０の下方の位置に穴４２１を設ける。また、内棒４２の上方中央部分にプッシュ部品４２２を設け、且つ各フレーム４２０の内部にいずれもプッシュ部品４２２が駆動する連動棒４２３を設ける。
【００１９】
本考案をハンドル４内部に設置する際、まずスライド台２のストッパーブロック２２を押し、座体１の収納槽１１に向けてスライド変位し、且つ第一弾性部品を押して変形した状態を呈すれば、複数の座体１の頂部からそれぞれ内棒４２のフレーム４２０の下方開口部より入れることができる。座体１の底部の停止部１４がフレーム４２０の開口部を抵触して定位につくと、フレーム４２０内部の連動棒４２３の端部が推移部品３の台座３１に抵触し、スライド台２のストッパーブロック２２は内棒４２の穴４２１の真正面に位置するため、第一弾性部品２３が弾力性を持って座体１の収納槽１１内に抵触することで、スライド台２のストッパーブロック２２が横向きに内棒４２の穴４２１から伸びて、掛止定位状態を形成した後、更にボルトを使って横向きにフレーム４２０の両サイドにある穴(図に未掲載)及び座体１の固定穴１５に差し込んで定位につける。それにより、座体１を安定して内棒４２のフレーム４２０開口部分に設置することができる。
【００２０】
引き続き座体１を設置した内棒４２のフレーム４２０を下向きに外棒４１のフレーム４１０の中に挿入する。まずスライド台２のストッパーブロック２２を座体１の収納槽１１に向かって押してスライドして変位し、第一弾性部品２３を押して変形することで、スライド台２のストッパーブロック２２がフレーム４２０の穴４２１から突出しないようにすれば、内棒４２のフレーム４２０がスムーズに外棒４１のフレーム４１０の中に挿入することができる。スライド台２のストッパーブロック２２が外棒４１の掛止穴４１１に対応する位置にスライドした際、第一弾性部品２３の弾性力により、スライド台２のストッパーブロック２２が内棒４２の穴４２１から突出し、更に外棒４１の掛止穴４１１内に挿入することで、掛止して定位する状態を形成すると同時に、内棒４２の上方中央部分にあるプッシュ部品４２２は内棒４２の外部に露出させる。
【００２１】
本考案を使用する際、まずハンドル４のプッシュ部品４２２を押して、連動棒４２３を駆動して下向きに変位すると、該連動棒４２３の末端は推移部品３の台座３１に抵触し、台座３１に押される第二弾性部品３４は変形する。また、二つのアーム３２が相対する内側にある推移部３２１の抵触面３２１１は、下向きにスライド台２の台座２１の両サイドにあるスライドルート２１１の傾斜面２１１１をスライドすることで、スライド台２は座体１の収納槽１１の内側部分をスライドして変位し、同時に第一弾性部品２３を変形させるため、スライド台２のストッパーブロック２２がバックして外棒４１の掛止穴４１１から離れるためフリーの状態を形成し、ユーザーが片手のみでハンドル４の位置を上下に調整するのに便利であるほか、構造が安定し、操作が簡単且つ作動時の安定性を確保できる効果を具有する。    
【００２２】
しかし、ユーザーがハンドル４で位置調整を行う際、まず内棒４２のプッシュ部品４２２を離してから内棒４２を引っ張り、座体１を駆動して同時に変位をすることができる。第一弾性部品２３が具有する弾性力により、スライド台２のストッパーブロック２２の端面が外棒４１のフレーム４１０の内壁面を抵触し、掛止した状態にならず、内棒４２が外棒４１に相対して伸ばす或いは縮む動作を行うことができる。スライド台２のストッパーブロック２２が外棒４１の別の掛止穴４１１の位置に当たると、第一弾性部品２３の弾性力が戻るために、スライド台２のストッパーブロック２２が外棒４１の掛止穴４１１内に挿入し、掛止して定位状態を形成し、ハンドル４の長さの調整、定位及び伸縮機能を具有する。
【００２３】
前記の実施例による本考案の詳細な説明は本考案の範囲を制限するものではない。本技術に熟知する者は、固定構造の変更などの適当な変更および調整を行うことができ、これらの変更および調整を行っても本考案の重要な意義は失われず、本考案の範囲に含まれる。
【符号の説明】
【００２４】
１          座体
１１        収納槽
１１１      開口
１１２      定位柱
１２        挿入ルート
１２１      切り込み
１２２      定位柱
１３        ガイドレール
１３１      スライド槽
１４        停止部
１５        固定穴
２          スライド台
２１        台座      
２１１      スライドルート
２１２      制限溝
２１１１    傾斜面
２２        ストッパーブロック    
２３        第一弾性部品
３          推移部品
３１        台座    
３１１      定位柱
３２        アーム
３２１      推移部
３２１１    抵触面
３３        スライド部
３３１      ストッパーブロック  
３４        第二弾性部品
４          ハンドル
４１        外棒
４１０      フレーム
４１１      掛止穴
４２        内棒
４２０      フレーム
４２１      穴
４２２      プッシュ部品
４２３      連動棒
５          スーツケース
Ａ          外棒
Ａ１        フレーム
Ａ１１      掛止穴
Ｂ          内棒
Ｂ１        フレーム
Ｂ２        プッシュ部品
Ｂ３        連動棒
Ｂ１１      掛止穴
Ｃ          掛止本体
Ｃ１        左側蓋
Ｃ２        右側蓋
Ｃ２１      穴
Ｃ３        掛止部品
Ｃ３１      掛止棒
Ｃ３２      溝
Ｃ３３      凸縁
Ｃ３４      斜面
Ｃ４        スプリング
Ｃ５        押し棒
Ｃ５１      斜面
Ｃ６        スプリング
【図１】
0003181756.tif 000003
【図２】
0003181756.tif 000004
【図３】
0003181756.tif 000005
【図４】
0003181756.tif 000006
【図５】
0003181756.tif 000007
【図６】
0003181756.tif 000008
【図７】
0003181756.tif 000009
【図８】
0003181756.tif 000010
【図９】
0003181756.tif 000011
【図１０】
0003181756.tif 000012